(57)【要約】【目的】  車輌のシートベルトでハーネスが保持された際に犬の首を締めることがなく、また、車輌のシートベルトのセットが容易にでき、尚且つ、車輌の衝突の際に犬を確実に保持することができるハーネスを提供することを目的とする。【構成】  犬１０の背部前方から胸部側方を通過し且つ前足内側を通過して背部中央に廻る一対の本体ベルト１と、本体ベルト１の犬１０の胸部に位置する本体ベルト１の間に架設された胸ベルト２と、本体ベルト１の犬１０の背部前方に位置する任意の部位と背部中央に位置する任意の部位の間に架設された背ベルト３とからなっている。そして、背ベルト３には車輌に備えるシートベルト１１が通過できる環部５が設けられ、また、胸ベルト２は本体ベルト１に脱落不能に遊着され、さらには、本体ベルト１の背部中央に廻るベルトはホック６によって開放できるようになっている。【選択図】  図１
2005335515.tif 000002
【特許請求の範囲】
【請求項１】
犬等の四足動物用のハーネスであって、動物の背部前方から胸部側方を通過し且つ前足内側を通過して背部中央に廻る一対の本体ベルトと、本体ベルトの胸部に位置するベルトの間に架設された胸ベルトと、本体ベルトの背部前方に位置する任意の部位と背部中央に位置する任意の部位の間に架設された背ベルトとからなり、前記本体ベルトおよび／または前記背ベルトには車輌に備えるシートベルトが通過できる環部が設けられ、前記胸ベルトは本体ベルトに脱落不能に遊着され、前記本体ベルトの背部中央に廻るベルトは背部中央またはその付近で開放できるようになっていることを特徴とするハーネス
【請求項２】
前記背ベルトは本体ベルトに脱落不能に遊着されていることをことを特徴とする請求項１のハーネス
【請求項３】
前記背ベルトは任意の部位で開放できるようになっていることを特徴とする請求項１のハーネス
【請求項４】
前記環部は背ベルトの後方に設けられ、且つそのほぼ全体が背部中央に廻る本体ベルトより後方に位置することを特徴とする請求項１のハーネス
【請求項５】
前記背ベルトはその架設の長を調節できるようになっていことを特徴とする請求項１のハーネス
【請求項６】
前記本体ベルトおよび／または前記背ベルトはリードのフックを接続できるようになっていることを特徴とする請求項１のハーネス
【発明の詳細な説明】
【技術分野】
【０００１】
本発明は、車輌に備えるシートベルトと共に使用されて、衝突事故の衝撃からペットの犬の体を保護するためのハーネスに関するものである。
【背景技術】
【０００２】
今日、人間の６歳以下の子供を車輌に乗車させる際は、適宜の保持装置によって子供を座席にホールドして乗せており、また、ペットの犬を乗せた場合も、車輌のシートベルトと共に使用して衝突事故の衝撃から犬の体を保護するためのハーネスが用いられている。
従来のハーネスは、図１３に示すように、ハーネスを構成する本体ベルト１８の背部を犬１７の首部の後方でクロスさせた形態とし、そして、犬１７の左右腰部位置に本体ベルト１８と接続された環部１９を設けており、その環部１９に車輌のシートベルト２０を通過させるようになっている。
【発明の開示】
【発明が解決しようとする課題】
【０００３】
しかして、犬が動き回った際や衝突発生時の犬の前方飛び出しを阻止する動作の際に、ハーネスのベルトが犬の首部の後方でクロスしているため、車輌のシートベルトでハーネスが保持された際に犬の首が締まるような動きとなっていた。また、車輌のシートベルトを通過させる環部が、犬の背部側方部位にそれぞれ設けられているため、車輌のシートベルトをセットする際に２箇所の環部に通さなければならなずセットが面倒であった。そして、ハーネスを構成する部品点数も多かった。
【０００４】
従って、本発明は上述した問題点に鑑みてなされたもので、車輌のシートベルトでハーネスが保持された際に犬の首を締めることがなく、また、車輌のシートベルトのセットが容易にでき、尚且つ、車輌の衝突の際に犬を確実に保持することができるハーネスを提供することを目的とするものである。
【課題を解決するための手段】
【０００５】
本発明の要旨とするところは、犬等の四足動物用のハーネスであって、動物の背部前方から胸部側方を通過し且つ前足内側を通過して背部中央に廻る一対の本体ベルトと、本体ベルトの胸部に位置するベルトの間に架設された胸ベルトと、本体ベルトの背部前方に位置する任意の部位と背部中央に位置する任意の部位の間に架設された背ベルトとからなり、前記本体ベルトおよび／または前記背ベルトには車輌に備えるシートベルトが通過できる環部が設けられ、前記胸ベルトは本体ベルトに脱落不能に遊着され、前記本体ベルトの背部中央に廻るベルトは背部中央またはその付近で開放できるようになっていることを特徴とするハーネスである。
【０００６】
本発明のハーネスを詳しく説明すると、ハーネスを構成するベルトの素材は、切断等の破損に耐え得る強度を有する素材、例えば、ナイロン等からなるものを用いなければならない。勿論、強度を有する素材であってベルトとして使用できるものであれば何でもよい。また、ベルトの幅寸法やベルトの設置数（１本または一対の２本またはそれ以上の数）も適宜選定すればよい。ベルトの接続は縫製で行えばよいが、勿論、他の方法を用いて行ってもよい。例えば、リベットや蒸着によるものであってもよい。さらに、ハーネスの任意の部位にパッドなどの緩衝部材を設けてもよい。
【０００７】
本体ベルトは、犬の背部前方から胸部側方を通過し且つ前足内側を通過して背部中央に廻るように左右一対で設ける。そして、各部は一地点に限定されるものではない。従って、背部前方とは、座った状態の犬を後から見て、少なくとも首部下から左右前足の間の範囲となる。また、胸部側方とは、座った状態の犬を前から見て、少なくとも首部下から左右前足の間の範囲となる。さらには、前足内側とは、座った状態の犬を前から見て、少なくとも前足付根の内側下方付近となる。そして、背部中央とは、座った状態の犬を後から見て、少なくとも左右前足の間から少々後方に下がった範囲となる。
【０００８】
そして、本体ベルトの背部中央に廻るベルトは背部中央またはその付近で開放できるようにするのがよい。その開放させるための手段も特に限定するものではなく、ホックやバックルまたベロクロファスナーなどの着脱自在な部材を用いればよい。しかしながら、ホックやベロクロファスナーなど係着状態を力任せに外すことができるものを用いる場合は、少なくとも本体ベルトの背ベルトに接続されない方のベルトに開放部位に、後述する背ベルトに設けられる環部と同様な車輌のシートベルトを通す環部を設けるのが望ましい。
また、本体ベルトの任意の部位または着脱部材にベルトの長を調節するための調節具を設けてもよい。
【０００９】
胸ベルトは、犬の胸部に位置する本体ベルトの左右のベルト間に架設する。その架設は、左右の本体ベルトのそれぞれが外方に移動しないように、また、左右それぞれが勝手な動きをしないようにする。架設位置は、犬の胸部に位置するように、また、本体ベルトに脱落不能に遊着する。すなわち、胸ベルトが犬の胸部の範囲内を移動できるようにする。その遊着構造も特に限定するものではなく、切断等の破損に耐え得る強度をもって遊着できればどのような方法また構造としてもよい。例えば、本体ベルトが通過できる通孔を胸ベルトに形成して、その通孔に本体ベルトを通過させるようにしてもよい。
【００１０】
背ベルトは、犬の背部前方に位置する本体ベルトの任意の部位と背部中央に位置する本体ベルトの任意の部位の間に架設する。背ベルトを接続する背部前方と背部中央の本体ベルトの部位は、背ベルトの形状によって決定されるが、背ベルトを１本とする場合は、犬の背の中心となる位置に架設するのがよい。また、背ベルトは、背部前方側の本体ベルトと背部中央前方側の本体ベルト間の架設の長を、任意の長さ調節具によって調節できるようにしてもよい。
【００１１】
背ベルトの架設形態は、本体ベルトに縫製など任意の方法によって固定してもよいが、背ベルトを本体ベルトに脱落不能に遊着するようにしてもよい。すなわち、背ベルトが本体ベルト上を任意の範囲で移動できるようにしてもよい。その遊着構造も特に限定するものではなく、切断等の破損に耐え得る強度をもって遊着できればどのような方法また構造としてもよい。例えば、本体ベルトが通過できる通孔を背ベルトに形成して、その通孔に本体ベルトを通過させるようにしてもよい。
【００１２】
そして、背ベルトには車輌に備えるシートベルトが通過できる環部を設ける。その環部は、背ベルトの一方を環状にしたり、別部材の環体や任意の部材を環状に形成して取り付けてもよい。その環部の位置も特に限定するものではないが、背ベルトの後方に設けると共に、環部のほぼ全体を背部中央に廻る本体ベルトより後方となる位置に設けるのがよい。ほぼ全体とは、少なくとも３分の２以上の範囲である。
【００１３】
背ベルトは、任意の部位で開放できるようにしてもよい。その開放する部位も特に限定するものではなく、背部前方側の本体ベルトまたは背部中央前方側の本体ベルトに近接する部位またはそれらのほぼ中間で開放させてもよい。その開放させるための手段も特に限定するものではなく、バックルなどの着脱自在な部材を用いればよい。さらには、本体ベルトおよび／または背ベルトに、散歩用のリードのフックを接続するための部材を設けてもよい。その部位も特に限定するものではなく所望の部位に設ければよい。例えば、本体ベルトと背ベルトの交点や背ベルトの環部の後端でもよい。
【００１４】
従って、本発明のハーネスは以上のように構成されているので、ハーネスを犬に装着する際は、犬の首を前方側の左右の本体ベルトと胸ベルトによって形成される環に通し、片方の前足を片側の本体ベルトと背ベルトによって形成される環に通し、背ベルトの背部前方側の本体ベルトと背部中央前方側の本体ベルトとの架設長さを調節しながら、胸ベルトを犬の胸部になるように位置を調節し、背ベルトの背部中央前方側の本体ベルトの開放を閉じる。
そして、散歩用のリードのフックを背ベルトの接続部材に掛けることによってリードによる犬の散歩ができる。
【００１５】
また、犬を車輌に乗せる場合は、犬をシートに座らせ、背ベルトに設けられている環部に車輌のシートベルトを通すと共にそのシートベルトの係着金具を固定金具に止着する。これにより、犬はハーネスと共にシートベルトによって車輌のシートにセットされる。
そして、車輌に事故等の衝撃があった時、犬は前方に飛び出そうとするが、シートベルトの繰り出しがロックされ、そのシートベルトによってハーネスが支持されて犬の前方飛び出しが止められる。
【００１６】
その前方飛び出し阻止の形態は、シートベルトによってハーネスの環部が支持されると、その環部が設けられている背ベルトに接続する犬の背部前方から胸部側方を通過し且つ前足内側を通過して背部中央に廻る左右一対に設けられた本体ベルトが犬の前足部分を羽交い締め状態となって保持する。また、胸ベルトは左右の本体ベルトの開きを防止すると共に犬の胸部を保持する。
【発明の効果】
【００１７】
本発明のハーネスは以上のように構成されているので、犬の前方飛び出しを阻止する形態が、ハーネスのベルトによって犬の前足部分を羽交い締めするようになる。この羽交い締めの形態は、人間でも簡単に外すことができない形であるので、犬においても確実に保持することができる。そして、犬の首を締めるようなこともない。
【００１８】
また、犬へのハーネスの装着も、頭と片方の前足をベルトによって形成された環に通し、１箇所のベルトの開放部を閉じることによって装着できる。そして、犬を車輌に乗せた際のシートベルトとの係着においても、ハーネスの背ベルトに設けている１箇所の環部にシートベルトを通し、シートベルトの係着金具を固定金具に止着することで装着でき、従って、ハーネスの犬への装着と共に、ハーネスと車輌のシートベルトとのセットが容易に行うことができる。
【発明を実施するための最良の形態】
【００１９】
本発明のハーネスを以下図面に従って説明すると、図１は、本発明に係るハーネスの背面図であり、１は本体ベルト、２は犬１０胸部を保持する胸ベルト、３は犬１０の背に位置する背ベルトである。４は背ベルトの長さを調節するための長さ調節具、５は車輌のシートベルト１１を通すための環部、６は本体ベルト１を開放できるようにするためのホック、７は参歩の際にリード１３のフック１４を掛けるためのフック掛である。
図２は、ハーネスの一部が開放された状態の背面図であり、ホック６の係合を解除することによって本体ベルト１が開放する。
【００２０】
図３は、他の形態のハーネスの背面図であり、本図のハーネスは、図１の形態のハーネスの背ベルト３にバックル８を設け、背ベルト３をバックル８によって開放できるようにしたものである。９はバックル８の受け部である。
図４は、図３のハーネスの２箇所が開放された状態の背面図であり、バックル８の係合を解除することによって背ベルト３が開放し、また、ホック６の係合を解除することによって本体ベルト１が開放する。
【００２１】
図５は、他の形態のハーネスの背面図であり、本図のハーネスは、本体ベルト１と背ベルト３を遊着するもので、背ベルト３が本体ベルト１上を任意の範囲で移動できる。また、本体ベルト１はバックル８によって開放できる。９はバックル８の受け部である。さらに、参歩の際にリード１３のフック１４を掛けるためのフック掛７を、車輌のシートベルト１１を通すための環部５の後端に設けているものである。
図６は、図５のハーネスの一部が開放された状態の背面図であり、バックル８の係合を解除することによって本体ベルト１が開放する。
【００２２】
図７は、遊着形態の一例を示す斜視図であり、本図は、背ベルト３に形成された通孔１６に本体ベルト１が通され、その通孔１６にフック掛け７を後退出来ないように取り付けたものである。（ａ）図は、背ベルト３の中間に本体ベルト１を遊着する形態を示し、（ｂ）図は、背ベルト３の端部に本体ベルト１を遊着する形態を示す。また、他の図で示されている本体ベルト１に遊着する胸ベルト２も、（ｂ）図に示す形態の如く遊着される。
【００２３】
図８は、ハーネスを装着した犬の背面図であり、本体ベルト１は、犬１０の背部前方から胸部側方を通過し且つ前足内側を通過して背部中央に廻る。
背ベルト３は、本体ベルト１の犬１０の背部前方に位置する任意の部位と背部中央に位置する任意の部位の間に架設され、また、背ベルト３には車輌に備えるシートベルト１１が通過できる環部５が設けられ、さらに、本体ベルト１の背部中央に廻るベルトがホック６によって開放できるようになっている。
【００２４】
図９は、ハーネスを装着した犬の正面図であり、本体ベルト１は、犬１０の背部前方から胸部側方を通過し且つ前足内側を通過して背部中央に廻る。
胸ベルト２は、本体ベルト１の犬１０の胸部に位置する本体ベルト１の間に架設され、また、胸ベルト２は本体ベルト１に脱落不能に遊着されており、すなわち、本体ベルト１上を任意に移動でき、これにより、犬１０に装着した際に胸部の適正位置に移動調節できるようになっている。
【００２５】
図１０は、シートベルトを装着する状態の背面図であり、車輌に備えるシートベルト１１を背ベルト３に設けられている環部５に通し、シートベルト１１の固定金具１２を車輌等に固定されている固定金具１２の受け具（図示なし）に係着すればよい。
図１１は、犬の乗車状態の斜視図である。
【００２６】
図１２は、リードを装着する状態の背面図であり、リード１３に設けられているフック１４を背ベルト３に設けられているフック掛７に係着すればよい。
【図面の簡単な説明】
【００２７】
【図１】本発明に係るハーネスの背面図
【図２】ハーネスの一部が開放された状態の背面図
【図３】他の形態のハーネスの背面図
【図４】図３のハーネスの２箇所が開放された状態の背面図
【図５】他の形態のハーネスの背面図
【図６】図５のハーネスの一部が開放された状態の背面図
【図７】遊着形態の一例を示す斜視図
【図８】ハーネスを装着した犬の背面図
【図９】ハーネスを装着した犬の正面図
【図１０】シートベルトを装着する状態の背面図
【図１１】犬の乗車状態の斜視図
【図１２】リードを装着する状態の背面図
【図１３】従来のハーネスを装着した犬の背面図
【符号の説明】
【００２８】
１−本体ベルト，２−胸ベルト，３−背ベルト，４−長さ調節具，５−環部，６−ホック，７−フック掛，８−バックル，９−受け部，１０−犬，１１−シートベルト，１２−固定金具，１３−リード，１４−フック，１５−シート，１６−通孔，１７−犬，１８−本体ベルト，１９−環部，２０−シートベルト，２１−固定金具
【図１】
2005335515.tif 000003
【図２】
2005335515.tif 000004
【図３】
2005335515.tif 000005
【図４】
2005335515.tif 000006
【図５】
2005335515.tif 000007
【図６】
2005335515.tif 000008
【図７】
2005335515.tif 000009
【図８】
2005335515.tif 000010
【図９】
2005335515.tif 000011
【図１０】
2005335515.tif 000012
【図１１】
2005335515.tif 000013
【図１２】
2005335515.tif 000014
【図１３】
2005335515.tif 000015